(57)【要約】 【課題】空気調和機の室内ユニットの側面を有効活用し、基本性能を向上させることを目的とする。【解決手段】空気調和機の室内ユニットにおいて、前面および上面から吸込んだ空気を熱交換したのち、クロスフローファンによって吹き出し口から室内に吹出す流れに加え、本体側面に設けた補助吸込み口とから吸込んだ空気をその内側に設けた補助熱交換器で熱交換をしたのち、クロスフローファンの端部に設けた遠心ファンによって、下部吹き出し口から室内に吹出す、もう一つの送風回路を実現する。【選択図】図３
2005055138.tif 000002
【特許請求の範囲】
【請求項１】
主送風ファンにより室内ユニット本体の前面および上面の吸込み口より吸込んだ空気を主熱交換器にて熱交換した後、空気吹出し口より室内に吹出すとともに、前記室内ユニット本体の側面に吸込み口を有し、前記主送風ファンと一体に形成された補助送風ファンによって、前記側面の吸い込み口から吸込んだ空気を前記主熱交換器の両端部に有する補助熱交換器にて熱交換した後、前記吹き出し口より室内に吹出すことを特徴とする空気調和機。
【請求項２】
室内ユニット本体の両側面に吸込み口を設けたことを特徴とする請求項１の空気調和機。
【請求項３】
主送風ファンをクロスフローファンで形成するとともに、補助送風ファンを遠心ファンで形成して前記主送風ファンと同一回転軸に一体に設けたことを特徴とする請求項１の空気調和機。
【請求項４】
補助熱交換器が主熱交換器の一部または全体と一体形成されていることを特徴とする請求項１または２に記載の空気調和機。
【請求項５】
主熱交換器の前面部が湾曲していることを特徴とする請求項１から３のいずれかに記載の空気調和機。
【発明の詳細な説明】
【技術分野】
【０００１】
本発明は、主送風ファンと補助送風ファンを備えた空気調和機に関するものである。
【背景技術】
【０００２】
従来の空気調和機を図１３に示す。室内ユニット１０１内部には、前面熱交換器１０２Ａ、中央熱交換器１０２Ｂ、背面熱交換器１０２Ｃの３個の独立した熱交換器からなる熱交換器を用いて、クロスフローファン１０３の中心から見て吸込み方向の全域を囲み、クロスフローファン１０３の径方向に対して、可能な限り垂直になるようにして、前記中央熱交換器１０２Ｂを前記前面熱交換器１０２Ａ、前記背面熱交換器１０２Ｃの上にのせ、「π」型に配設することにより、送風性能の向上を図っている（例えば特許文献１参照）。
【特許文献１】特開平７−１９０４７４号公報
【発明の開示】
【発明が解決しようとする課題】
【０００３】
しかしながら、前記従来の形態の空気調和機室内ユニットでは左右両側面は送風回路を為す壁としての役割しか果たしておらず、空気調和機の基本性能の向上に、送風性能の向上が求められている中で、側面の有効活用ができていなかった。
【課題を解決するための手段】
【０００４】
本発明は前記従来技術の課題を解決するためになされたものであり、本発明の空気調和機は、室内ユニット本体の側面に吸込み口を有し、前記主送風ファンと一体に形成された補助送風ファンによって、前記側面の吸い込み口から吸込んだ空気を前記主熱交換器の両端部に有する補助熱交換器にて熱交換した後、前記吹き出し口より室内に吹出すようにしたものである。
【０００５】
この構成によれば、室内ユニットの前面および上面だけでなく、両側面からの空気の流れを生み出すことができ、その結果、室内ユニットの側面を有効活用し、送風性能を向上させ、空気調和機の基本性能を向上させることができる。
【発明の効果】
【０００６】
以上のように、本発明の空気調和機によれば、室内ユニットの前面および上面だけでなく、両側面からの空気の流れを生み出すことができ、その結果、室内ユニットの側面を有効活用し、送風性能を向上させ、空気調和機の基本性能を向上させることができる。
【発明を実施するための最良の形態】
【０００７】
第１の発明は、主送風ファンにより室内ユニット本体の前面および上面の吸込み口より吸込んだ空気を主熱交換器にて熱交換した後、空気吹出し口より室内に吹出すとともに、前記室内ユニット本体の側面に吸込み口を有し、前記主送風ファンと一体に形成された補助送風ファンによって、前記側面の吸い込み口から吸込んだ空気を前記主熱交換器の両端部に有する補助熱交換器にて熱交換した後、前記吹き出し口より室内に吹出すことを特徴とし、室内ユニットの側面を有効活用し、送風性能を向上させ、空気調和機の基本性能を向上させることができる。
【０００８】
第２の発明は、室内ユニット本体の両側面に吸込み口を設けたことを特徴とし、側面全体を有効活用できる。
【０００９】
第３の発明は、主送風ファンをクロスフローファンで形成するとともに、補助送風ファンを遠心ファンで形成して前記主送風ファンと同一回転軸に一体に設けたことを特徴とする。この構成によれば、主送風ファンと補助送風ファンが一つの送風用ファンモータにて回転させることとなり、１つの送風用ファンモータしか使わないため、室内ユニット本体のコンパクト化をはかることができる。
【００１０】
第４の発明は、補助熱交換器が主熱交換器の一部または全体と一体形成されていることを特徴とする。この構成によれば、主熱交換器と補助熱交換器の交差する部分において隙間からの空気の流れを防ぐシールが必要なく、送風性能を向上させることができるとともに、熱交換器面積を広くとることができ、空気調和機の基本性能を向上させることができる。
【００１１】
第５の発明は、主熱交換器の前面部が湾曲していることを特徴とする。  この構成によれば、弓型形状主熱交換器と補助熱交換器の交差する部分において隙間からの空気の流れを防ぐシールを必要がないことに加え、主熱交換器の前面部全体を熱交換器として利用することができ、送風性能を向上させることができるとともに、熱交換器面積を広くとることができ、空気調和機の基本性能を向上させることができる。
【００１２】
以下、本発明の実施の形態について図面を参照しながら説明する。
【００１３】
（実施の形態１）
図１に本発明の実施の形態１に係る空気調和機の室内ユニットの前面斜視図を示す。室内ユニットの本体１は、前面から上面にかけて形成された主吸込み口２と、両側面に形成された補助吸込み口３と、本体下部に形成された吹き出し口４を有している。
【００１４】
図２はＡ−Ａ線での要部側面断面図であり、本体１の内部には前面から上面にかけて形成された屈曲型の主熱交換器５と、クロスフローファンからなる主送風機７が設置されいる。なお、主熱交換器５には屈曲型に加え、湾曲した弓型熱交換器を使用することもできる。
【００１５】
図３はＢ−Ｂ線での要部側面断面図であり、本体１の内部には主熱交換器５と、遠心ファンからなる補助送風機８が設置されている。
【００１６】
図４は送風ファンおよびファンモータの部分説明図であり、両軸モータからなる送風ファンモータ９を挟んで２つクロスフローファンからなる主送風機７があり、それぞれのもう一方の端には遠心ファンからなる補助送風機８が設置されている。
【００１７】
図５は熱交換器の部分説明図であり、主熱交換器５は前面下部熱交換器５Ａ、前面上部熱交換器５Ｂと背面熱交換器５Ｃより形成されており、その側面には左熱交換器６Ａ、右熱交換器６Ｂからなる補助熱交換器６が設置されている。なお、前面下部熱交換器５Ａ、前面上部熱交換器５Ｂを一体ものとして湾曲させ、弓型形状の一つの熱交換器とすることもできる。
【００１８】
このように形成されているため、室内ユニットの本体１の前面および上面に形成された主吸込み口２より吸込まれた空気は、主熱交換器５において熱交換されたのち、主送風機７によって吹出し口よ４り再び室内に吐出される。一方、本体１の側面に形成された補助吸込み口３より吸込まれた空気は、補助熱交換器６において熱交換されたのち、補助送風機８によって吹き出し口４より、再び室内に吐出される。
【００１９】
したがって、室内ユニットの前面および上面だけでなく、両側面からの空気の流れを生み出すことができ、その結果、室内ユニットの側面を有効活用し、送風性能を向上させ、空気調和機の基本性能を向上させることができる。
【００２０】
なお前面下部熱交換器５Ａ、前面上部熱交換器５Ｂ、背面熱交換器５Ｃ、左熱交換器６Ａ、右熱交換器６Ｂのうち、２つ以上を合体し、一体で形成することも可能である。この場合、熱交換器同士の連結部に、空気漏れを防ぐためのシールをする必要がなく、シールによる熱交換面積の無駄を無くすことができる。
【００２１】
また補助吸込み口３を側面の一方のみに設けることも可能である。この場合、図９に示すように、クロスフローファンからなる主送風機７の一端に、片軸モータからなる送風ファンモータ９を設置し、主送風機の他端には遠心ファンからなる補助送風機８を設置する。この構成によれば、主送風機７と補助送風機８が一つの送風ファンモータ９にて回転させることとなり、１つの送風ファンモータ９しか使わないため、室内ユニット本体のコンパクト化をはかることができる。
【図面の簡単な説明】
【００２２】
【図１】本発明の実施の形態１を示す空気調和機の前面斜視図
【図２】図１のＡ−Ａ線での断面側面図
【図３】図１のＢ−Ｂ線での断面側面図
【図４】本発明の実施の形態１の送風ファンおよびファンモータの構成図
【図５】本発明の実施の形態１の熱交換器の構成図
【図６】他の送風ファンおよび送風ファンモータの構成図
【図７】従来の空気調和機の前面斜視図
【符号の説明】
【００２３】
２    主吸込み口
３    補助吸込み口
４    吹き出し口
５    主熱交換器
５Ａ    前面下部熱交換器
５Ｂ    前面上部熱交換器
５Ｃ    背面熱交換器
６    補助熱交換器
６Ａ    前面下部熱交換器
６Ｂ    前面上部熱交換器
７    主送風ファン
８    補助送風ファン
９    送風ファンモータ
【図１】
2005055138.tif 000003
【図２】
2005055138.tif 000004
【図３】
2005055138.tif 000005
【図４】
2005055138.tif 000006
【図５】
2005055138.tif 000007
【図６】
2005055138.tif 000008
【図７】
2005055138.tif 000009